(57)【要約】【課題】錠ケースの内部空間に有効的に活用するために、電気式施・解錠部材と、手動式施・解錠部材とを、互いに連動するように一連に組み込むこと、並びに施・解錠部材を構成する部品点数を少なくすること。【解決手段】電気式施・解錠部材は、錠ケース内に横設されたソレノイドの作動杆に一端部が軸支されていると共に、中央部が一つ固定軸に軸支された駆動片とから成り、一方、手動式施・解錠部材は、サムターンダルマと、該サムターンダルマに係合する作動片と、この作動片と協働するように他の固定一軸に該作動片と共に軸支され、かつ、前記駆動片の他端部と互いに分離しないように係合する係合部を有するロッキングピースとから成ることを特徴とする電気錠の施・解錠機構。【選択図】  図１
2004360336.tif 000002
【特許請求の範囲】
【請求項１】
錠ケース内に、電気式施・解錠部材と、手動式施・解錠部材と、これらの施・解錠部材が作動した際にＯＮ、ＯＦＦするスイッチとを組み込み、前記電気式施・解錠部材１１は、錠ケース内に横設されたソレノイド１１ａと、このソレノイドの作動杆１１ｂに一端部が軸支されていると共に、中央部が固定軸１２に軸支された駆動片１３とから成り、一方、前記手動式施・解錠部材２１は、サムターンダルマ２２と、該サムターンダルマに係合する作動片２３と、この作動片と協働するように他の固定一軸２６に該作動片と共に軸支され、かつ、前記ソレノイド側の駆動片の他端部１３ｂと互いに分離しないように係合する係合部を有するロッキングピース２４とから成ることを特徴とする電気錠の施・解錠機構。
【請求項２】
請求項１に於いて、スイッチ２５は、前記ロッキングピースの回動に対応して「ＯＮ、ＯＦＦ」するように錠ケースに配設されていることを特徴とする電気錠の施・解錠機構。
【請求項３】
請求項１に於いて、ロッキングピースは、先端部にソレノイド側の駆動片の他端部を挟持することができるように設けられた駆動片用受板３４及び係合突起３５を有することを特徴とする電気錠の施・解錠機構。
【請求項４】
請求項１に於いて、サムターンダルマ側の作動片には、該作動片が回転中にロッキングピースに形成した受け部と当接する小係合爪が設けられていることを特徴とする扉用電気錠。
【請求項５】
請求項１に於いて、ロッキングピースには、スイッチと接触するスイッチ用突起が設けられていることを特徴とする扉用電気錠。
【発明の詳細な説明】
【０００１】
【発明の属する技術分野】
本発明は、ホテルの客室、研究室などの扉に取付けられる扉用電気錠の施・解錠機構に関する。
【０００２】
【従来の技術】
扉用電気錠の施・解錠機構は、普通一般に、錠ケースの内部空間には、駆動モータまたはソレノイドを主とする電気式施・解錠部材、サムターンダルマを主とする手動式施・解錠部材、前記電気式施・解錠部材または手動式施・解錠部材が作動した際に「ＯＮ、ＯＦＦ」するスイッチが適宜に組み込まれている。
【０００３】
電気式施・解錠部材及び手動式施・解錠部材は、施錠片（例えばデッドラッチ、デッドボルト）、操作ハンドル側の連動部材、施錠片と係脱する係合片などの構成部材との関係で、錠ケース内に合理的に組み込む必要がある。
【０００４】
けだし、普通一般に電気錠は、内部空間に組み込む各部材が他の錠前に比較して大きく或いは多くなるからである。出願人は、先行技術の開示義務として、日本国の特公昭５３−４７７５９号公報、特開平８−９３２８７号公報を記載する。これらの公報に電気錠がそれぞれ記載されているが、これらの公報から理解することができるように、電気錠の錠箱の内部空間に、施・解錠機構を合理的に組み込み、施錠片をスムースにロックし、またはロックを解除することが発明の課題の一つとなっている。
【０００５】
【発明が解決しようとする課題】
本発明は以上のような従来の問題点に鑑み、第１の目的は、錠ケースの内部空間に、ソレノイドを主とする電気式施・解錠部材と、サムターンダルマを主とする手動式施・解錠部材とを、互いにリンク（連動）するように一連に組み込むことである。これにより、極力、錠ケースをコンパクトにすることができる。第２の目的は、施・解錠部材を構成する部品点数を少なくすることである。第３の目的は、電気式施・解錠部材または手動式施・解錠部材の作動時、両部材が互いにスムースに連動し合い、その結果、施錠片をロックし、またはロックを解除することができると共に、施・解錠信号検出用のスイッチを「ＯＮ、ＯＦＦ」させることである。
【０００６】
【課題を解決するための手段】
本発明の電気錠の施・解錠機構は、錠ケース内に、電気式施・解錠部材と、手動式施・解錠部材と、これらの施・解錠部材が作動した際にＯＮ、ＯＦＦするスイッチとを組み込み、前記電気式施・解錠部材１１は、錠ケース内に横設されたソレノイド１１ａと、このソレノイドの作動杆１１ｂに一端部が軸支されていると共に、中央部が固定軸１２に軸支された駆動片１３とから成り、一方、前記手動式施・解錠部材２１は、サムターンダルマ２２と、該サムターンダルマに係合する作動片２３と、この作動片と協働するように他の固定一軸２６に該作動片と共に軸支され、かつ、前記ソレノイド側の駆動片の他端部１３ｂと互いに分離しないように係合する係合部を有するロッキングピース２４とから成ることを特徴とする。
【０００７】
【発明の実施の形態】
図１乃至図９は、本発明の扉用電気錠の施・解錠機構一実施例を示す。電気錠は、錠機構を構成する各部材を組み込むための錠ケース１を有する。この電気錠の錠機構は、ストライクに係合した施錠片（例えばデッドラッチ）３を施錠状態にする電気式施・解錠部材１１と、この電気式施・解錠部材１１による施錠状態を室内側から解錠するサムターン側の手動式施・解錠部材２１と、錠機構が解錠状態になった時に前記施錠片３を錠ケース１の内側に引き戻す把手側の手動式駆動部材４１と、先端部側が建物の開口枠に設けたストライク２と当接可能に突出し、一方、後端部側が扉４の開閉状態を検出する第２スイッチ４５に関連付けられた進退動部材４６とから成る。
【０００８】
まず、図１〜図４を参照にして錠ケース１と、該錠ケース１に配設される主たる部材について説明する。なお、図１〜図４は本発明のポイントを示す各概略説明図である（フロントの添板、メネジを有する取付け筒、嵌合孔等は省略してある）。
【０００９】
錠ケース１は、一側面開口のケース身１ａと、ケース蓋１ｂと、フロント１ｃとから成る。錠ケース１は、縦框に取付けられたストライク２に施錠片（例えばデッドラッチ）３が係合するように扉４に取付けられる。フロント１ｃには、施錠片用開口５と、進退動部材４６のトリガー用開口６が形成されている。ここで説明の便宜上、ケース身１ａに符号を付す。７は上壁、８は後壁、９は下壁である。
【００１０】
次に、錠ケース１の内部空間１０について説明する。本実施例では、錠ケース１の内部空間１０を、デッドラッチ３の水平スライド軸３ｃを通る線をＸ軸、一方、電気式施・解錠部材１１の駆動片１３を枢支する中央部の固定軸１２を通る線をＹ軸として四つ１０ａ、１０ｂ、１０ｃ、１０ｄに分割している。本実施例の四つに分割された第１乃至第４の空間部は、略均等である。
【００１１】
図１〜図４に於いて、１０ａはフロント１ｃ側の第１空間（左上）である。この第１空間１０ａは、施錠片３の水平スライド軸３ｃよりも上方の空間部分に相当する。この第１空間１０ａに電気式施・解錠部材１１を構成する駆動源１１ａが組み込まれている。
【００１２】
すなわち、１１ａは第１空間１０ａに固定的に横設されたソレノイドである。１１ｂはソレノイドの作動杆である。この作動杆１１ｂにＬ型駆動片１３の一端部１３ａが枢支ピンを介して枢支されている。
【００１３】
前述したように、ソレノイド側の駆動片１３の中央部は、Ｙ軸線上の固定軸１２に軸支されている。固定軸１２には、作動杆用のコイルばね１４の中央部が設けられている。コイルばね１４の一端部１４ａはソレノイド１１ａの支持枠１５の壁面に圧接し、一方、他端部１４ｂは後述するロッキングピース（ロック片）２４のバネ受け兼用係合突起３５に圧接している。
【００１４】
次に、１０ｂは錠ケース１の後壁８側の第２空間である。この第２空間１０ｂは、ソレノイド１１ａの作動杆１１ｂの伸長方向にある空間（後壁側の右上）に相当する。
【００１５】
この第２空間１０ｂに、手動式施・解錠部材２１を構成するサムターンダルマ２２と、該サムターンダルマ２２に係合すると共に、施錠及び解錠信号を検知する第１スイッチ２５に関連付けられた作動片（リセットボード）２３と、この作動片２３と協働するように後壁側の固定一軸２６に該作動片２３と共に軸支され、かつ、前記駆動片１３の他端部１３ｂと係合するロッキングピース２４が配設されている。
【００１６】
図５で示すように、手動式施・解錠部材２１は、サムターンダルマ２２と、作動片２３と、ロッキングピース２４で構成されている。
【００１７】
しかして、サムターンダルマ２２は、錠ケース１の嵌合孔１６に嵌合する筒状部２２ａと、この筒状部２２ａから半径方向に延びた駆動アーム２２ｂと、この駆動アーム２２ｂの上面（手前の見える面）に突設された小係合突起２２ｃとから成る。
【００１８】
また作動片２３は、前記小係合突起２２ｃと係合する係合長孔２７及び軸孔２８を有する幅広の係合板部２３ａと、この係合板部２３ａの一端部を段差状に折り曲げて形成した下端部２３ｂと、この下端部２３ｂとは反対側に指先状に連設した上端部２３ｃと、この上端部寄りの傾斜縁に突設したロッキングピース用小係合爪２９とから成る。
【００１９】
またロッキングピース２４は、後端部側に軸孔３１を有する長板状の対向板３２，３３と、これらの対向板３２，３３の先端部を連結する受板３４とから構成され、ケース身１ａの幅広側壁の内壁面側に位置する対向板３３の先端部には、バネ受け兼用係合突起３５が設けられている。
【００２０】
前記係合突起３５は、ソレノイド側の駆動片１３の他端部１３ｂと係合する。したがって、ロッキングピース２４は、対向板の先端部にソレノイド側の駆動片１３の他端部１３ｂを挟持することができるように設けられた駆動片用受板３４及び係合突起３５を有する。
【００２１】
また前記対向板３３の後端部には、図９で示すように、第１スイッチ２５の可動接片２５ａと当接するスイッチ用突起３６が設けられている。
【００２２】
固定一軸２６は、手動側の作動片２３とロッキングピース２４とを軸支する。３８は固定一軸２６に設けられた付勢バネで、この付勢バネ３８の一端部３８ａは作動片２３の下端部の切欠部分３９に圧接し、一方、他端部３８ｂは錠ケース１の後壁８に圧接する。
【００２３】
図１に於いて、１０ｃは手動式駆動部材４１用の第３空間である。この第３空間１０ｃは手動式施・解錠部材２１の下方の空間部分に相当する。この第３空間部１０ｃに手動式駆動部材４１を構成する駆動ハブ４２と、リトラクター（駆動カム）４３とが一体的に配設されている（図４参照）。
【００２４】
すなわち、４２は把手側の角軸に嵌合する駆動ハブ（筒体）で、この駆動ハブ４２には、水平スライド軸３ｃのフランジ部３ｄに係合するリトラクター（引き戻し片）４３が固定的に外嵌合している。
【００２５】
図１に於いて、１０ｄは錠ケース１のフロント１ｃ側の第４空間である。この第４空間１０ｄは、第１空間１０ａとは反対側のフロント側空間部分（左下）に相当する。この第４空間１０ｄに、先端部側がフロント１ｃから突出し、一方、後端部側が扉４の開閉状態を検出する第２スイッチ４５に関連付けられた進退動部材（トリガー、摺動軸、当接片、押圧片、バネ）４６が配設されている。
【００２６】
ここで、図１を参照にして施錠片（例えばデッドラッチ）３について説明する。ここでは、ラッチとデッドボルトの両方の機能を有する施錠片を、「デッドラッチ」と称している。このデッドラッチ３は、傾斜面を有するラッチ部分３ａと、このラッチ部分３ａに連設する四角型のデッド部分３ｂと、このデッド部分３ｂに水平状態に取付けられた水平スライド軸３ｃと、この水平スライド軸３ｃの後端部に周設されたフランジ部３ｄとから成り、錠ケース１の中央部寄りの固定された端面コ字型状のデッドラッチバネ１７用受片１８に案内されている。
【００２７】
前記デッドラッチバネ１７は、デッド部分３ｂの後端面と錠ケース１に固定されたバネ受片１８との間に於いて、水平スライド軸３ｃに巻装されている。したがって、デッドラッチバネ１７は、施錠片３を常時突出する方向へ付勢している。
【００２８】
ところで、錠ケース１の内部空間を有効的に活用するために、図１で示すように、本実施例の第１スイッチ２５は、Ｘ軸線上又はこれに準じる位置（Ｘ軸線付近）に配設され、一方、第２スイッチ４５は、Ｙ軸線上又はこれに準じる位置（Ｙ軸線付近）に配設されている。
【００２９】
次に、図６〜図９を参照にして本発明の施・解錠機構の作用を説明する。まず、図６を参照にして、施錠片３に対する電気式施・解錠部材１１のロック状態またはロック解消の作動を説明する。
【００３０】
電気式施・解錠部材１１で施錠片３をロック状態にする場合、当然のことながら、扉４を閉める必要がある。扉を閉めると、進退動部材４６は、図１で示すように、ストライク２の前面に突き当たるので、図示しないトリガーバネのバネ力に抗して錠ケース１内へと後退する。
【００３１】
デッドラッチ３は、該進退動部材４６の後退に伴い係合解除の方向へと回動する係合アーム（図示しない）から開放され、デッドラッチバネ１７のバネ力により突出し、ストライク２に係合する。したがって、ロッキングピース２４の一端部はデッドラッチ３の後端面と係合（施錠）可能となる。
【００３２】
また、前述した第２スイッチ４５は、進退動部材４６の進退動に対応して、「ＯＮ」又は「ＯＦＦ」する。そこで、第２スイッチ４５は、進退動部材４６を介して扉の閉状態を検知する。検知信号は図示しない制御手段へと送られる。制御手段は電気式施・解錠部材１１を制御する。
【００３３】
そこで、例えばソレノイド１１ａが通電状態になると、ソレノイドの作動杆１１ｂが伸長する（図６の上方の図）。ソレノイド１１ａの作動杆１１ｂが矢印方向へと伸長すると、駆動片１３は固定軸１２を支点にして回転し、ロッキングピース２４を施錠方向（矢印Ａ）へと回転させる。したがって、ロッキングピース２４は、施錠片３のフランジ部３ｄの後端面に係合する。
【００３４】
一方、ソレノイド側の駆動片１３の他端部１３ｂは、手動側のロッキングピース２４の一端部の受板３４とバネ受け突起３５との間に挟持されるように係合しているから、駆動片１３が矢印Ｂ方向（時計方向）へと回転すると、ロッキングピース２４は駆動片１３の他端部１３ｂで押し下げられた格好になる。したがって、ロッキングピース２４は、作動杆１１ｂ及び駆動片１３に連動し、かつ、固定一軸２６を支点にして施錠方向Ａ（反時計方向）と回転する。
【００３５】
これに対して、ソレノイド１１ａの作動杆１１ｂが収縮すると、駆動片１３は固定軸１２を支点にして逆方向へと回転し、ロッキングピース２４を解錠方向へと回転させる（図６の下方の図）。したがって、ロッキングピース２４は、施錠片３のフランジ部３ｄの後端面から離れる。
【００３６】
次に、図７を参照にして、施錠片３に対する手動式施・解錠部材２１のロック解消の作動を説明する。なお、扉の閉戸時及び施錠片３に対するロックの説明は、重複するので割愛する。
【００３７】
図７及び図８は、室内側からサムターンを利用し、又は室外側からキーを操作して施錠状態を解錠状態にした場合の手動式施・解錠部材２１の各概略説明図である。サムターンダルマ２２の係合突起２２ｃは作動片２３の係合長孔２７に係合しているから、サムターンダルマ２２が図７の矢印Ａ方向へ回転すると、作動片２３は矢印Ｂ方向（時計方向）へと回転する。
【００３８】
また、作動片２３の傾斜縁には小係合爪２９が突出形成されているから、作動片２３が矢印Ｂ方向へと回転すると、その回転途中で、小係合爪２９はロッキングピース２４の上方（手前）対向板３２の指先状受け部３７に当接する。そして、そのまま作動片２３が矢印Ｂ方向へと回転し続けると、ロッキングピース２４は付勢バネ３８のバネ力に抗して作動片２３と協働して矢印Ｂ方向へと回転する。
【００３９】
この時、ソレノイド側の駆動片１３は、ロッキングピース２４の係合部としての受板３４と係合突起３５に挟まれた状態で上方へと持ち上げられる。したがって、駆動片１３は固定軸１２を支点に矢印Ａ方向（反時計方向）へと回転する。なお、本実施例では、第１スイッチ２５はロッキングピース２４に関連付けられて錠ケースに配設されているから、第１スイッチ２５は、ロッキングピース２４のスイッチ用突起３６の回動位置との関係で、「ＯＮ」、「ＯＦＦ」する（図９参照）。
【００４０】
【実施例】
本実施例に於いて、錠ケース１のフロント側上方の第１空間にソレノイドを横設しているが、フロント側下方の第４空間１０ｄの方にソレノイドを横設しても良い。この場合には、進退動部材４６を上方の第１空間１０ａに、把手側の手動式駆動部材４１を右隣の第２空間部１０ｂに、サムターン側の手動式施・解錠部材２１を下方の第３空間部１０ｃにそれぞれ配設される。要は、錠ケース１をコンパクト化するために、錠機構を構成する各部材１１，２１，４１，４６を錠ケース１の第１乃至第４空間に合理的に組み込めば良い。
【００４１】
【発明の効果】
以上の説明から明らかなように、本発明にあっては、錠ケース内に横設されたソレノイドと、ソレノイドの作動杆に一端部が軸支されていると共に、中央部が一つ固定軸に軸支された駆動片とから成り、一方、前記手動式施・解錠部材は、サムターンダルマと、該サムターンダルマに係合する作動片と、この作動片と協働するように他の固定一軸に該作動片と共に軸支され、かつ、前記ソレノイド側の駆動片の他端部と互いに分離しないように係合する係合部を有するロッキングピースとから成るので、電気式施・解錠部材と、手動式施・解錠部材とを、合理的に連動させることができる。その結果、錠ケースをコンパクト化、施・解錠部材を構成する部品点数の削減化等を達成することができる。また、電気式施・解錠部材または手動式施・解錠部材の作動時、両部材が互いにスムースに連動する。その結果、施錠片をスムースにロックし、またはロックを解除することができると共に、施・解錠信号検出用のスイッチを「ＯＮ、ＯＦＦ」させることもできる。さらに、施錠状態の時に於いて、室内側からサムターンを自由に操作してロッキングピースを解錠することができるので、本発明の電気錠は、ホテルの客室、研究室などの扉に適合する。
【図面の簡単な説明】
図１乃至図９は本発明の一実施例を示す各概略説明図。
【図１】錠ケースの内部空間と各部材の配設位置を示す概略説明図。
【図２】電気式施・解錠部材と手動式施・解錠部材の作動片並びに
【図３】錠ケースの上壁を切欠した内部構造の主たる部材の説明図。
【図４】電気式施・解錠部材、手動式解錠部材、及び手動式駆動部材の配設位置を示す概略説明図。
【図５】手動式解錠部材（サムターンダルマ、作動片、ロッキングピース）等の斜視図。
【図６】主に電気式施・解錠部材の作動状態の説明図。
【図７】主に手動式解錠部材の作動状態の説明図。
【図８】電気式施・解錠部材〜手動式解錠部材の解錠時の説明図。
【図９】ロッキングピースと第１スイッチとの関係を示す説明図。
【符号の説明】
１…錠ケース、１ａ…ケース身、１ｂ…ケース蓋、１ｃ…フロント、２…ストライク、３…施錠片、３ａ…ラッチ部分、３ｂ…デッド部分、３ｃ…水平スライド軸、３ｄ…フランジ部、４…扉、１０…内部空間、１０ａ…第１空間、１０ｂ…第２空間、１０ｃ…第３空間、１０ｄ…第４空間、１１…電気式施・解錠部材、１１ａ…ソレノイド、１１ｂ…作動杆、１２…固定軸、１３…駆動片、１３ａ…一端部、１３ｂ…他端部、１５…支持枠、１７…バネ、１８…バネ受片、２１…手動式施・解錠部材、２２…サムターンダルマ、２３…作動片、２４…ロッキングピース、２５…第１スイッチ、２６…固定一軸、２９…小係合爪、３４、３５…係合部（受板、突起）、３６…スイッチ用突起、４１…手動式駆動部材、４２…駆動ハブ、４３…リトラクター、４５…第２スイッチ、４６…進退動部材。
【図１】
2004360336.tif 000003
【図２】
2004360336.tif 000004
【図３】
2004360336.tif 000005
【図４】
2004360336.tif 000006
【図５】
2004360336.tif 000007
【図６】
2004360336.tif 000008
【図７】
2004360336.tif 000009
【図８】
2004360336.tif 000010
【図９】
2004360336.tif 000011